(57)【要約】【課題】マンホール蓋、マンホール蓋枠取替作業において、撤去物を杠上させるため吊上手段を軽快かつ効率良くしかも廉価に行えるようにした工法の提供。【解決手段】マンホール蓋枠２周囲の道路面３を、マンホール蓋枠２の中心軸上を中心として３６０°回動させて平面円形でかつ断面円弧状ないし傾斜状の椀型状に切断する椀型撤去物８ａ，８ｂを地上より杠上して撤去する工法において、切断された椀型撤去物８ａ，８ｂの中心より離れた偏心位置より吊上手段で傾斜させ乍ら持ち上げるようにしたことを特徴とするマンホール蓋枠又はマンホール蓋枠位置箇所周辺の椀型撤去物の偏心吊上げ方法。【選択図】図３
2008150789.tif 000002
【特許請求の範囲】
【請求項１】
マンホール蓋枠周囲の道路面を、マンホール蓋枠の中心軸上を中心として３６０°回動させて平面円形でかつ断面円弧状ないし傾斜状の椀型状に切断する椀型撤去物を地上より杠上して撤去する工法において、切断された椀型撤去物の中心より離れた偏心位置より吊上手段で傾斜させ乍ら持ち上げるようにしたことを特徴とするマンホール蓋枠又はマンホール蓋枠位置箇所周辺の椀型撤去物の偏心吊上げ方法。
【請求項２】
吊上手段は、止金具を打ち込み、この止金具に牽引手段の先端を係止させて上方に杠上させるようにしたことを特徴とする請求項１記載のマンホール蓋枠又はマンホール蓋枠位置箇所周辺の椀型撤去物の偏心吊上げ方法。
【請求項３】
吊上手段は、支持板に相当する養生板の中心より離れた箇所に係止孔を設け、この係止孔と係止するロープ等を挿通係止させて牽引手段の先端で係止させて上方に杠上させるようにしたことを特徴とする請求項１記載のマンホール蓋枠又はマンホール蓋枠位置箇所周辺の椀型撤去物の偏心吊上げ方法。
【発明の詳細な説明】
【技術分野】
【０００１】
本発明は既設のマンホール蓋及びマンホール蓋枠の取替交換の際のマンホール蓋枠又はマンホール蓋枠位置箇所周辺の椀型撤去物の偏心吊上げ方法に関する。
【背景技術】
【０００２】
一般に、アスファルト等で舗装された道路面に設けたマンホール蓋及び蓋枠は、経時年月と共に損傷、損耗を生じ、単独に又は舗装路面と共に修復、取替交換を必要とする。
【０００３】
そして、上記路面の修復やマンホール蓋及び蓋枠の取替交換には、マンホール蓋及び蓋枠の周辺の路面を平面長方形に切断する場合（図４（ａ），（ｂ）参照）とか、平面円形に切断する場合（図５（ａ），（ｂ）参照）では、いずれも垂直方向への吊上手段ａを用いていた（特許文献１，特許文献２参照）。
【０００４】
又、同様に平面円形、断面円弧状に切断する場合（図６（ａ），（ｂ），（ｃ）参照）とか、平面円形、断面傾斜状に切断する場合（図７（ａ），（ｂ），（ｃ）参照）（特許文献３参照）とか、切削オーバーレイ工法において２回のマンホール蓋枠の周辺切断工程のうち、２回目の支持蓋（養生蓋）を用いて仮舗装する場合の平面円形、断面円弧状または平面円形、断面傾斜状に切断する場合（図８（ａ），（ｂ），（ｃ）参照）等においても垂直方向への吊上手段ａを用いていた（特許文献４参照）。
【０００５】
ところで、図４及び図５の撤去物Ｐ１，Ｐ２は路面に対する切断面Ｑ１，Ｑ２が垂直状であるため、吊上手段ａは切断面Ｑ１，Ｑ２に対して平行、すなわち垂直方向へ持ち上げないで傾斜させて持ち上げることは、切断面Ｑ１，Ｑ２と撤去物Ｐ１，Ｐ２の側面が食い込み、摩擦力が生じて持ち上げの際の阻止力となって持ち上げ難いという不都合があった。
【０００６】
さらに、図６，図７及び図８では撤去物Ｐ３，Ｐ４，Ｐ５の周囲は円弧状の切断面Ｑ３ないしは傾斜状の切断面Ｑ４であるが、吊上手段ａは前記図４及び図５に示す通り、同様の垂直方向へ行っていた。
【特許文献１】特許第３５２２２６８号公報（図５（ｂ））
【特許文献２】特許第２６２３４９１号公報
【特許文献３】特公平３−５５６１５号公報
【特許文献４】特許第３６４４９４９号公報
【発明の開示】
【発明が解決しようとする課題】
【０００７】
ところで、図６，図７及び図８の場合、撤去物Ｐ３，Ｐ４及びＰ５の外周面は、円弧状の切断面Ｑ３ないし傾斜状の切断面Ｑ４で切截されているが、下面の中央の周縁部分、即ち、マンホール基礎の下部周面部分は未切断部分Ｍとなっているので、土砂との密着が強固であり、したがって吊上手段ａには、撤去物Ｐ３，Ｐ４またはＰ５の重量だけでなく、土砂との密着を剥離するための力を必要とし、可成りの引張力を必要とするという問題点があった。
【０００８】
本発明は叙上の点に着目して成されたもので、外周面の形状が円弧状の切断面Ｑ３ないしは傾斜状の切断面Ｑ４の撤去物Ｐ３，Ｐ４またはＰ５に対しては、吊上手段を中心軸上ではなく外周に偏心して離れた箇所に設け、撤去物Ｐ３，Ｐ４またはＰ５を傾斜させ乍らまず始めに土砂との密着性を横方向に引張りつつ剥離させ、かつ円弧状の切断Ｑ３ないし傾斜状の切断面Ｑ４の周囲に沿って滑らせ乍ら引上げることができるようにしたマンホール蓋枠又はマンホール蓋枠位置箇所周辺の椀型撤去物の偏心吊上げ方法を提供する。
【課題を解決するための手段】
【０００９】
本発明は、以下の構成を備えることにより上記課題を解決できるものである。
【００１０】
（１）マンホール蓋枠周囲の道路面を、マンホール蓋枠の中心軸上を中心として３６０°回動させて平面円形でかつ断面円弧状ないし傾斜状の椀型状に切断する椀型撤去物を地上より杠上して撤去する工法において、切断された椀型撤去物の中心より離れた偏心位置より吊上手段で傾斜させ乍ら持ち上げるようにしたことを特徴とするマンホール蓋枠又はマンホール蓋枠位置箇所周辺の椀型撤去物の偏心吊上げ方法。
【００１１】
（２）吊上手段は、止金具を打ち込み、この止金具に牽引手段の先端を係止させて上方に杠上させるようにしたことを特徴とする前記（１）記載のマンホール蓋枠又はマンホール蓋枠位置箇所周辺の椀型撤去物の偏心吊上げ方法。
【００１２】
（３）吊上手段は、支持板に相当する養生板の中心より離れた箇所に係止孔を設け、この係止孔と係止するロープ等を挿通係止させて牽引手段の先端で係止させて上方に杠上させるようにしたことを特徴とする前記（１）記載のマンホール蓋枠又はマンホール蓋枠位置箇所周辺の椀型撤去物の偏心吊上げ方法。
【発明の効果】
【００１３】
撤去物は、その外周面が円弧状ないしは傾斜状であるため、吊上手段はマンホール蓋枠の中心軸上でなく、偏心した外周位置で吊上げて撤去物は傾斜させることができ、さらに、この傾斜面に沿って摺動させ乍ら杠上でき、特に、撤去物の中央下面近くの土砂との密着性が強い箇所を、その儘上方に杠上させることなく撤去物の重量より小さい力、すなわち横方向に引き剥がす力のみでまず偏心可動させ、ついで撤去物自体の重量に対抗する杠上力を用いて引上げることができる。したがって、従来の垂直方向に杠上させる吊上手段、即ち、撤去物の重量と、撤去物の下面の土砂との未切断箇所を剥離するための力を同時に必要とする牽引力よりも格段と小さい杠上力で作業が可能となり、機械装置の小型化が図れると共に、作業時間を著しく短縮でき、総体的にコスト高と認識されている従来の土木工事費用を画期的に安価に提供できる。
【発明を実施するための最良の形態】
【００１４】
以下に、本発明の一実施例を説明する。
【実施例】
【００１５】
図１は、マンホール蓋１及びこの蓋１を支持するマンホール蓋枠２を路面３上に配設した一般道路のマンホール蓋１を含むマンホール蓋枠２周辺部分、即ち、マンホール基礎４及び高さ調節機構４ａ等を備えた構成の断面図であり、図２は切削オーバーレイ工法によってマンホール蓋１及びマンホール蓋枠２を取り除いてマンホール基礎４上に支持板（養生板）５を介して仮設舗装を施した状態の断面図を示す。
【００１６】
そして、図１及び図２にもマンホール蓋枠２の外周の舗装面即ち路面３を回転カッター６等により切断する過程を示している。そして、図３（ａ），（ｂ）に示すように回転カッター６は断面円弧状の曲面を有し、マンホール蓋１の中心軸Ｃ上を中心として半径Ｌの球面を有しており、この回転カッター６の軸回転及び中心軸Ｃ上を中心として路面３上を３６０°回動することにより、路面３に対しては切断面７が平面円形を示し、かつ断面が円弧状を呈し、全体として椀型形状の撤去物８ａ，８ｂが得られる。
【００１７】
即ち、回転カッター６は図示しない回転軸により必要回転数の下に回転すると共に、路面３に対し３６０°回動させた後、図１及び図３（ａ）にあってはマンホール蓋枠２の外周に一体的に固着されているドーナッツ状の切断舗装部（撤去物）８ａが、また図２及び図３（ｂ）にあっては仮設舗装箇所に無垢の椀型形状物（撤去物）８ｂが切断状態で得られる。
【００１８】
そして、回転カッター６による路面３の切断には、舗装面層の切断処理は完全に行われるが、舗装面３の下層の土砂９まで完全に切断されることは殆どないので、撤去物８ａ，８ｂの下面周辺部分は未切断箇所Ｍを生ずる。
【００１９】
そこで、実施例では図３（ａ）では撤去物８ａの中心Ｃより離れた路面３の偏心位置に引上げ用のボルト１０を打ち込み、撤去物８ａを傾斜して持ち上げるようにする。即ち、吊上手段Ａとしてクレーンとかリフター等の引上げ用ロープ（図示せず）等を前記ボルト１０に固着し、撤去物８ａを引上げる。
【００２０】
ボルト１０は中心より偏心した位置に設けてあるので、撤去物８ａは未切断箇所Ｍが主として横方向に引張されて剥離され、しかも撤去物８ａの一部は円弧状の切断面７に沿って摺動し乍ら持ち上げられる。
【００２１】
したがってクレーンやリフター等の吊上手段Ａでの杠上作用力は、撤去物８ａの重力と剥離作用の力が同時に働く従来の中央箇所で垂直に引上げるよりも早めに剥離作用がすみ、剥離作用の後で撤去物８ａの重力のみで吊上げるため、吊上力が分散でき、したがって、牽引力が小さくできるという利点がある。しかも撤去物８ａは切断面７の斜面の案内摺動が利用できるので作業性も向上できる。
【００２２】
つぎに図３（ｂ）の撤去物８ｂでは偏心位置を支持蓋（養生板）５の外周箇所に係止孔８として設けたので、この係止孔８に前記（ａ）と同様に吊上手段Ａとしてリフター等（図示せず）の先端を係止させて吊上げ操作を行わせれば、同様に未切断箇所Ｍ部分が最初の引き上げ作用の働きによって剥離され、傾斜した状態を呈し乍ら円弧状の切断面７に沿って摺動案内されて上方へ引上げられる。
【００２３】
吊上手段Ａは、図３（ａ）と同様に剥離するための力が最初大きく働き、ついで撤去物８ｂの重力のみの力のみで済むので全体として牽引力が分散できる。したがって軽快かつ能率が良く安価に作業ができる。
【００２４】
以上本発明について一実施例を説明したが、回転カッター６については本発明者が先に発明した特許第３３７１２５４号に示す路面カッターを用いることができる他の好みの回転カッターを用いることができる。
【００２５】
上述の実施例においては、従来知られている未舗装道路を舗装する舗装工法、非切削でオーバーレイ施工するオーバーレイ工法或は二回の撤去作業を行う切削オーバーレイ工法等、マンホール蓋，蓋枠を含むすべての道路工法に適用できる。
【００２６】
さらに図示していないが支持板（養生板）の中心箇所、偏心した係止箇所等の位置合わせは、従来と同様に知ることができる。
【図面の簡単な説明】
【００２７】
【図１】マンホール蓋及びマンホール蓋枠を路面上に配設した一般の道路のマンホールを含むマンホール蓋枠周辺の部分の断面道路説明図
【図２】切削オーバーレイ工法によってマンホール蓋及びマンホール蓋枠を取り除いてマンホール基礎上に支持板（養生板）を介して仮設舗装を施した状態の断面説明図
【図３】（ａ），（ｂ）は同上図１及び図２のそれぞれの偏心位置での撤去物の吊上手段による杠上状態を示す断面説明図
【図４】（ａ），（ｂ）は、従来道路工法の一例を示す工程断面説明図
【図５】（ａ），（ｂ）は、さらに他の従来道路工法の例を示す工程断面説明図
【図６】（ａ），（ｂ），（ｃ）は、断面円弧状に傾斜面を切断する従来工法の工程断面説明図
【図７】（ａ），（ｂ），（ｃ）は、断面傾斜状の傾斜面を切断する従来工法の工程断面説明図
【図８】（ａ），（ｂ），（ｃ）は、切削オーバーレイ工法における撤去物の切断撤去工程を示す断面説明図
【符号の説明】
【００２８】
Ｐ１，Ｐ２，Ｐ３，Ｐ４，Ｐ５      撤去物
Ｃ          中心軸
ａ，Ａ      吊上手段
Ｍ          未切断部分
Ｑ１，Ｑ２，Ｑ３，Ｑ４    切断面
１          マンホール蓋
２          マンホール蓋枠
３          路面、道路面
４          マンホール基礎
４ａ        高さ調節機構
５          支持板（養生板）
６          回転カッター
７          切断面
８          係止孔
８ａ，８ｂ  椀型形状の撤去物
９          土砂
１０        ボルト
【図１】
2008150789.tif 000003
【図２】
2008150789.tif 000004
【図３】
2008150789.tif 000005
【図４】
2008150789.tif 000006
【図５】
2008150789.tif 000007
【図６】
2008150789.tif 000008
【図７】
2008150789.tif 000009
【図８】
2008150789.tif 000010